(57)【要約】【課題】  印刷物に書き込まれている識別子情報により特定した画像データの保存先からネットワーク経由で取得した画像データを印刷したい場合には印刷できるし、着脱可能な記憶媒体に書き込みたい場合にはそうすることもできる画像情報装置を提供する。【解決手段】  画像データをネットワーク経由で取得できる画像情報装置において、画像読み取りユニット５５が識別子情報の書き込まれている印刷物からその識別子情報を読み取り、ＣＰＵ２１が、その識別子情報により特定される外部の画像情報装置または情報処理装置から、そこに保存されている画像データをネットワーク経由で取得すると共に、その画像データを印刷するか記憶媒体に保存するかをあらかじめ設定しておき、その設定内容に従って、取得した画像データを画像書き込みユニット５６など印刷手段により印刷するか、または記憶媒体Ｉ／Ｆ３３により記憶媒体に書き込み保存する構成にした。【選択図】  図２
2005354499.tif 000002
【特許請求の範囲】
【請求項１】
識別子情報により特定される外部の画像情報装置または情報処理装置に保存されている画像データをネットワーク経由で取得できる画像情報装置において、可視状態または不可視状態で識別子情報が書き込まれている原稿から当該識別子情報を読み取る識別子情報読み取り手段と、読み取られた識別子情報により特定される外部の画像情報装置または情報処理装置から、該画像情報装置または情報処理装置に保存されている画像データをネットワーク経由で取得する画像データ取得手段と、該画像データ取得手段により取得した画像データを印刷する印刷手段と、前記画像データ取得手段により取得した画像データを着脱可能な記憶媒体に書き込み保存する保存手段と、前記画像データ取得手段により取得した画像データを印刷するか記憶媒体に保存するかをあらかじめ設定する設定手段とを備え、該設定手段により設定された設定内容に従って、取得した前記画像データを前記印刷手段により印刷するか、または前記記憶媒体に書き込み保存する構成にしたことを特徴とする画像情報装置。
【請求項２】
請求項１記載の画像情報装置において、前記識別子情報中に、さらに画像データを特定する情報を含み、該識別子情報により特定される外部の画像情報装置または情報処理装置から、該画像情報装置または情報処理装置に保存されている識別子情報で特定される画像データを取得するように前記画像データ取得手段を構成したことを特徴とする画像情報装置。
【請求項３】
請求項１または請求項２記載の画像情報装置において、ネットワークを介して取得した画像データを印刷する際に用紙がなく印刷不可と判断された場合、前記画像データを前記記憶媒体に書き込み保存する構成にしたことを特徴とする画像情報装置。
【請求項４】
請求項１または請求項２記載の画像情報装置において、ネットワークを介して取得した画像データを印刷する際に印刷剤となるトナーまたはインクがなく印刷不可と判断された場合、前記画像データを前記記憶媒体に書き込み保存する構成にしたことを特徴とする画像情報装置。
【請求項５】
請求項１または請求項２記載の画像情報装置において、ネットワークを介して取得した画像データを印刷する際に前記印刷手段が故障または障害により印刷不可と判断された場合、前記画像データを前記記憶媒体に書き込み保存する構成にしたことを特徴とする画像情報装置。
【請求項６】
請求項１または請求項２記載の画像情報装置において、ネットワークを介して取得した画像データを印刷する際に、前記印刷手段の印刷準備のために時間を要すると判断された場合、前記画像データを前記記憶媒体に書き込み保存する構成にしたことを特徴とする画像情報装置。
【請求項７】
請求項６記載の画像情報装置において、前記記憶媒体に書き込む前にメッセージを表示することにより、前記画像データを前記記憶媒体に書き込むか、それとも印刷準備終了を待って印刷するかを選択させる構成にしたことを特徴とする画像情報装置。
【請求項８】
識別子情報により特定される外部の画像情報装置または情報処理装置に保存されている画像データをネットワーク経由で取得して印刷する画像情印刷方法において、識別子情報が書き込まれている原稿からその識別子情報を読み取り、読み取った識別子情報により特定される外部の画像情報装置または情報処理装置から、その画像情報装置または情報処理装置に保存されている画像データをネットワーク経由で取得し、取得したその画像データを、あらかじめ設定した設定内容に従って、印刷するかまたは着脱可能な記憶媒体に書き込み保存することを特徴とする画像情報印刷方法。
【請求項９】
請求項８記載の画像情報印刷方法において、ネットワークを介して取得した画像データを印刷する際に印刷不可と判断された場合、その画像データを前記記憶媒体に書き込み保存することを特徴とする画像情報印刷方法。
【請求項１０】
請求項９記載の画像情報印刷方法において、印刷準備中であるために印刷不可と判断された場合、前記記憶媒体に書き込む前にメッセージを表示することにより、前記画像データを前記記憶媒体に書き込むか、それとも印刷準備終了を待って印刷するかを選択させることを特徴とする画像情報印刷方法。
【請求項１１】
画像情報装置上で実行されるプログラムにおいて、請求項８、請求項９、または請求項１０記載の画像情報印刷方法によった画像情報印刷を実行させるようにプログラミングされていることを特徴とするプログラム。
【発明の詳細な説明】
【技術分野】
【０００１】
本発明は、印刷機能および画像データ保存機能を備えたデジタル複合機やデジタル複写機やプリンタなど画像情報装置に係り、特に、ネットワークに接続され、他の画像情報装置や情報処理装置や画像入力装置から画像データを受け取ることができる画像情報装置に関する。
【背景技術】
【０００２】
ネットワーク化の進展のなかで、パーソナルコンピュータなど情報処理装置はもちろん、前記デジタル複合機やデジタル複写機など画像を扱う画像情報装置などもネットワークに接続されるようになってきている。このようなネットワークシステムにより、例えばデジタル複合機やデジタル複写機を画像入力装置として複数の情報処理装置が共有して、これらの画像情報装置から情報処理装置へ画像を入力したり、プリンタとして共有して、これらの画像情報装置へ画像を出力したりするのである。また、ある画像情報装置から他の画像情報装置へ画像データを転送して、転送先の画像情報装置で印刷出力することも可能になっている。例えば、会議などで配布資料が足りなくなり、追加配布する場合など、ネットワークに接続されている会議場所の画像情報装置を用いて、情報処理装置や画像情報装置に電子文書として保存されている会議資料をネットワークを介して取得し、印刷出力させるのである。
また、手持ちの情報処理装置などが会議場所の装置にネットワーク接続できない場合には、着脱可能な記憶媒体を持参することにより会議場所の装置に会議資料のデータを入力し、会議資料を印刷させたり、参照したりすることもできる。
以下、特許文献に示された関連従来技術について説明する。
まず、特許文献１だが、この従来技術では、複数のホストコンピュータ（情報処理装置）と少なくとも１台のプリンタがネットワークを介して互いに通信可能に接続されており、紙詰まりなど印刷不可となる異常状態を検出すると、これをホストコンピュータに通知し、所定時間経過後、依然としてその異常状態が続いている場合には、印刷データを圧縮してＲＡＭに格納し、紙詰まりが解消されたときに圧縮された印刷データを伸長し、印刷する。
また、特許文献２に示された従来技術では、画像処理装置（画像情報装置）は識別子の付された画像データを読み取って保存した後、識別子を指定して対応した画像データを更新し、更新した画像データを印刷できる。また、その画像処理装置はネットワークに接続された情報処理装置から識別子に対応した画像データを取得することもできる。
【特許文献１】特開平１０−３０１７２６号公報
【特許文献２】特開２００３−２０９６５０公報
【発明の開示】
【発明が解決しようとする課題】
【０００３】
しかしながら、前記した従来技術においては、印刷物に書き込まれている識別子情報によりその画像データの保存先を特定し、ネットワークを介して保存先から画像データを取得した際、その画像データを印刷したり着脱可能な記憶媒体に書き込んだりすることが選択できない。
本発明の目的は、このような従来技術の問題を解決しようとするものであり、具体的には、印刷物に書き込まれている識別子情報により特定した画像データの保存先からネットワークを介して取得した画像データを印刷したい場合には印刷可能とし、着脱可能な記憶媒体に書き込みたい場合には記憶可能として、例えば参加者数を把握できない会議用に会議資料を準備する場合で、且つ会議室に備えてある装置が着脱可能な記憶媒体を用いた印刷はできるがネットワークを介した印刷ができない場合、情報処理装置などに保存してある会議資料を確実な部数だけ印刷すると共に着脱可能な記憶媒体にも書き込み、会議室には印刷した会議資料と着脱可能な記憶媒体を持参するというような使い方ができる画像情報装置を提供することにある。
【課題を解決するための手段】
【０００４】
前記した課題を解決するために、請求項１記載の発明では、識別子情報により特定される外部の画像情報装置または情報処理装置に保存されている画像データをネットワーク経由で取得できる画像情報装置において、可視状態または不可視状態で識別子情報が書き込まれている原稿から当該識別子情報を読み取る識別子情報読み取り手段と、読み取られた識別子情報により特定される外部の画像情報装置または情報処理装置から、該画像情報装置または情報処理装置に保存されている画像データをネットワーク経由で取得する画像データ取得手段と、該画像データ取得手段により取得した画像データを印刷する印刷手段と、前記画像データ取得手段により取得した画像データを着脱可能な記憶媒体に書き込み保存する保存手段と、前記画像データ取得手段により取得した画像データを印刷するか記憶媒体に保存するかをあらかじめ設定する設定手段とを備え、該設定手段により設定された設定内容に従って、取得した前記画像データを前記印刷手段により印刷するか、または前記記憶媒体に書き込み保存する構成にした。
また、請求項２記載の発明では、請求項１記載の発明において、前記識別子情報中に、さらに画像データを特定する情報を含み、その識別子情報により特定される外部の画像情報装置または情報処理装置から、その画像情報装置または情報処理装置に保存されているその識別子情報で特定される画像データを取得するように前記画像データ取得手段を構成した。
また、請求項３記載の発明では、請求項１または請求項２記載の発明において、ネットワークを介して取得した画像データを印刷する際に用紙がなく印刷不可と判断された場合、その画像データを前記記憶媒体に書き込み保存する構成にした。
また、請求項４記載の発明では、請求項１または請求項２記載の発明において、ネットワークを介して取得した画像データを印刷する際に印刷剤となるトナーまたはインクがなく印刷不可と判断された場合、その画像データを前記記憶媒体に書き込み保存する構成にした。
また、請求項５記載の発明では、請求項１または請求項２記載の発明において、ネットワークを介して取得した画像データを印刷する際に前記印刷手段が故障または障害により印刷不可と判断された場合、その画像データを前記記憶媒体に書き込み保存する構成にした。
また、請求項６記載の発明では、請求項１または請求項２記載の発明において、ネットワークを介して取得した画像データを印刷する際に、前記印刷手段の印刷準備のために時間を要すると判断された場合、その画像データを前記記憶媒体に書き込み保存する構成にした。
【０００５】
また、請求項７記載の発明では、請求項６記載の発明において、前記記憶媒体に書き込む前にメッセージを表示することにより、前記画像データを前記記憶媒体に書き込むか、それとも印刷準備終了を待って印刷するかを選択させる構成にした。
また、請求項８記載の発明では、識別子情報により特定される外部の画像情報装置または情報処理装置に保存されている画像データをネットワーク経由で取得して印刷する画像情印刷方法において、識別子情報が書き込まれている原稿からその識別子情報を読み取り、読み取った識別子情報により特定される外部の画像情報装置または情報処理装置から、その画像情報装置または情報処理装置に保存されている画像データをネットワーク経由で取得し、取得したその画像データを、あらかじめ設定した設定内容に従って、印刷するかまたは着脱可能な記憶媒体に書き込み保存する構成にした。
また、請求項９記載の発明では、請求項８記載の発明において、ネットワークを介して取得した画像データを印刷する際に印刷不可と判断された場合、その画像データを前記記憶媒体に書き込み保存する構成にした。
また、請求項１０記載の発明では、請求項９記載の発明において、印刷準備中であるために印刷不可と判断された場合、前記記憶媒体に書き込む前にメッセージを表示することにより、前記画像データを前記記憶媒体に書き込むか、それとも印刷準備終了を待って印刷するかを選択させる構成にした。
また、請求項１１記載の発明では、画像情報装置上で実行されるプログラムにおいて、請求項８、請求項９、または請求項１０記載の画像情報印刷方法によった画像情報印刷を実行させるようにプログラミングされている構成にした。
【発明の効果】
【０００６】
本発明によれば、請求項１および請求項８記載の発明では、識別子情報が書き込まれている原稿からその識別子情報を読み取り、読み取った識別子情報により特定される外部の画像情報装置または情報処理装置から、その画像情報装置または情報処理装置に保存されている画像データをネットワーク経由で取得し、取得したその画像データを、あらかじめ設定した設定内容に従って、印刷するかまたは着脱可能な記憶媒体に書き込み保存することができるので、簡単な操作で画像データをその保存先からネットワーク経由で取得できる。また、取得した画像データを印刷したい場合には印刷できるし、着脱可能な記憶媒体に書き込みたい場合にはそうすることもでき、したがって、例えば参加者数を把握できない会議用に会議資料を準備する場合で、且つ会議室に備えてある装置が着脱可能な記憶媒体を用いた印刷はできるがネットワークを介した印刷ができないような場合、情報処理装置などに保存してある会議資料を確実な部数だけ印刷すると共に着脱可能な記憶媒体にも書き込み、会議室には印刷した会議資料と着脱可能な記憶媒体を持参するというような使い方ができる。
また、請求項２記載の発明では、請求項１記載の発明において、識別子情報中に、さらに画像データを特定する情報を含み、その識別子情報により特定される外部の画像情報装置または情報処理装置から、その画像情報装置または情報処理装置に保存されているその識別子情報で特定される画像データを取得できるので、保存先に複数の画像データが保存されていても所望の画像データを簡単な操作で取得できる。
また、請求項３記載の発明では、請求項１または請求項２記載の発明において、ネットワークを介して取得した画像データを印刷する際に用紙がなく印刷不可と判断された場合、その画像データを記憶媒体に書き込み保存できるので、後で印刷することが可能になる。
また、請求項４記載の発明では、請求項１または請求項２記載の発明において、ネットワークを介して取得した画像データを印刷する際に印刷剤となるトナーまたはインクがなく印刷不可と判断された場合、その画像データを記憶媒体に書き込み保存できるので、同様に後で印刷することが可能になる。
また、請求項５記載の発明では、請求項１または請求項２記載の発明において、ネットワークを介して取得した画像データを印刷する際に印刷手段が故障または障害により印刷不可と判断された場合、その画像データを記憶媒体に書き込み保存できるので、同様に後で印刷することが可能になる。
【０００７】
また、請求項６記載の発明では、請求項１または請求項２記載の発明において、ネットワークを介して取得した画像データを印刷する際に、印刷手段の印刷準備のために時間を要すると判断された場合、その画像データを記憶媒体に書き込み保存できるので、同様に後で印刷することが可能になる。
また、請求項７記載の発明では、請求項６記載の発明において、記憶媒体に書き込む前にメッセージを表示することにより、画像データを記憶媒体に書き込むか、それとも印刷準備終了を待って印刷するかを選択できるので、利用者の意図あるいは状況に合った対応が可能になる。
また、請求項９記載の発明では、請求項８記載の発明において、ネットワークを介して取得した画像データを印刷する際に印刷不可と判断された場合、その画像データを記憶媒体に書き込み保存できるので、後で印刷することが可能になる。
また、請求項１０記載の発明では、請求項９記載の発明において、印刷準備中であるために印刷不可と判断された場合、記憶媒体に書き込む前にメッセージを表示することにより、画像データを記憶媒体に書き込むか、それとも印刷準備終了を待って印刷するかを選択できるので、利用者の意図あるいは状況に合った対応が可能になる。
また、請求項１１記載の発明では、請求項８、請求項９、または請求項１０記載の画像情報印刷方法によった画像情報印刷を実行させるようにプログラミングされているプログラムを画像情報装置上で実行させることができるので、特別なハードウェアを備えずに請求項８、請求項９、または請求項１０記載の発明の効果を画像情報装置で実現できる。
【発明を実施するための最良の形態】
【０００８】
以下、図面により本発明の実施形態を詳細に説明する。但し、この実施形態に記載される構成要素、種類、組み合わせ、形状、その相対位置などは特定的な記載がない限りこの説明の範囲をそれのみに限定する主旨ではなく、単なる説明例に過ぎない。
図１は、本発明の一実施形態を示す、画像情報装置を含むネットワークシステムのシステム構成図である。
図１に示したように、このネットワークシステムは、画像情報装置であるデジタル複合機１ａ、１ｂおよびプリンタ２ａ、２ｂ、画像入力装置（スキャナ）３ａ、３ｂ、情報処理装置であるパーソナルコンピュータ（以下、ＰＣと称す）４ａ、４ｂ、４ｃ、およびネットワーク８などから成る。デジタル複合機１ａ、１ｂは原稿上の画像を読み取り、その画像データを保存したり印刷したりでき、プリンタ２ａ、２ｂは画像データを保存したり印刷したりでき、画像入力装置３ａ、３ｂは原稿上の画像を読み取り読み取った画像データを保存できる。
また、デジタル複合機１ａ、１ｂと画像入力装置３ａ、３ｂは、公衆回線網９を介して、読み取った画像データをファクシミリ通信により直接送信でき、デジタル複合機１ａ、１ｂと画像入力装置３ａ、３ｂとプリンタ２ａ、２ｂはネットワーク８を介して画像データを送受信できる。また、ＰＣ４ａ、４ｂ、４ｃはネットワーク８に接続されたデジタル複合機１ａ、１ｂ、プリンタ２ａ、２ｂ、および画像入力装置３ａ、３ｂを操作することができ、画像データを送受信でき、画像データを保存できる。
【０００９】
図２に、デジタル複合機要部の構成ブロック図を示す。図示したように、このデジタル複合機１は、システムコントローラ１１、操作部１２、および画像入出力部１３を備えている。システムコントローラ１１は、スキャナアプリケーション、コピーアプリケーション、ファクシミリ通信アプリケーション、プリンタアプリケーションなど、複数のアプリケーションの機能を持ち、このデジタル複合機全体を制御する。操作部１２はこのデジタル複合機に対して設定を行うための入力手段であり、且つその状態内容を表示する表示手段である。また、画像入出力部１３は原稿上の画像を読み取る画像読み取り手段であり、且つ公知の電子写真技術により転写用紙上に画像を形成する印刷（画像形成）手段である。また、画像データバス／制御コマンドバス１４は画像データと制御コマンドが時分割で転送されるバスである。
前記システムコントローラ１１は、制御プログラムにしたがって前記した制御を実行するＣＰＵ２１、その制御プログラムを記憶しているＲＯＭ２２、ＣＰＵ２１が実行時に使用する作業用メモリであるＲＡＭ２３、不揮発性メモリでありシステム全体の情報を保存するＮＶＲＡＭ２４、ネットワーク８を介した通信制御を行うネットワークＩ／Ｆコントローラ２５、ＣＰＵ２１の命令によりこのデジタル複合機内で処理されるファクシミリデータや印刷データの転送制御を行うシステムＩ／Ｆ２６、画像形成（印刷）用のドットイメージデータに展開するための作業用メモリであるワークメモリ２７、読み取った画像データなどイメージデータ（符号化されたデータまたはドットイメージデータ）を一時的に記憶する作業用メモリであるフレームメモリ２８、フレームメモリ２８内の画像データを出力画像データとしてデータ転送する際に速度変換のために一時的に記憶するＦＩＦＯバッファ２９、入力画像データをフレームメモリ２８へ書き込むデータ転送の際に速度変換のために一時的に記憶するＦＩＦＯバッファ３０、図示していないＨＤＤ（ハードディスクドライブ）に対する画像データの入出力制御を行うＨＤＤＣ（ＨＤＤコントローラ）３１、フレームメモリ２８およびＨＤＤＣ３１とバス間の画像データの入出力を制御するメモリコントローラ３２、着脱可能な記憶媒体に画像データを保存する記憶媒体Ｉ／Ｆ３３などを備える。なお、ＨＤＤには、画像入出力部１３内の画像読み取り手段により読み取られた画像データ、およびネットワーク経由で取得した画像データなどが保存される。
一方、操作部１２は、制御プログラムにしたがって操作部内の制御を行うＣＰＵ４１、その制御プログラムを記憶しているＲＯＭ４２、ＣＰＵ４１が実行時に使用する作業用メモリであるＲＡＭ４３、利用者が設定のための入力を行なったりする入力装置４４、利用者が設定内容や状態を確認したりするための表示を行う表示装置４５などを備える。
【００１０】
また、画像入出力部１３は、制御プログラムにしたがって画像入出力部１３の全体を制御するＣＰＵ５１、その制御プログラムを記憶しているＲＯＭ５２、ＣＰＵ５１が実行時に使用する作業用メモリであるＲＡＭ５３、複数枚積載された原稿を画像読み取り位置へ１枚ずつ搬送するとともに原稿のサイズ検出も行う原稿搬送制御ユニット５４、ランプ光を原稿面で反射させＣＣＤに入力させることにより原稿上の画像を読み取る光学式スキャナを制御するとともにその画像に付加されている可視または不可視の識別子を画像データから分離する画像読み取りユニット５５、レーザー光を画素周波数で点灯させポリゴンスキャナによる走査で感光体上に静電潜像を形成する画像書き込み装置を制御する画像書き込みユニット５６、感光体上に形成された静電潜像をトナーで顕像化し、そのトナー像を転写用紙に転写・定着する電子写真方式の画像形成プロセスを制御する電子写真プロセスユニット５７、転写用紙の搬送制御を行う転写紙搬送制御ユニット５８などを備える。
なお、前記した識別子は、分離後、ＣＰＵ５１により認識・コード化され、システムコントローラ１１へ送られ、ネットワーク上に存在する画像情報装置および情報処理装置を特定する。
以上、この実施形態のデジタル複合機１の構成を説明したが、この実施形態では、請求項１記載の識別子情報読み取り手段が画像読み取りユニット５５により実現され、画像データ取得手段がＣＰＵ２１およびネットワークＩ／Ｆコントローラ２５などにより実現され、保存手段が記憶媒体Ｉ／Ｆ３３により実現される。
【００１１】
以下、本発明の実施例について説明する。なお、この実施例では、手元にある印刷物を会議用などに多部数印刷したいのだが、その印刷物にはメモ情報などを書き込んでしまっているので、保存されているオリジナルの画像データ（文書）を取り込んで印刷したりする場合を想定している。また、手元にある印刷物にはその印刷物の画像データが保存されている画像情報装置または情報処理装置を特定する識別子が書き込まれているものとする。
この実施例のデジタル複合機１では、画像読み取りユニット５５が可視状態または不可視状態で識別子情報の書き込まれている原稿からその識別子情報を分離し、ＣＰＵ５１がその識別子情報を認識し、その識別子情報により特定される外部のデジタル複合機１、画像入力装置３、またはＰＣ４から、保存されている画像データをネットワーク経由で取得し、取得した画像データをあらかじめ設定された設定内容に従って印刷するかまたは着脱可能な記憶媒体に書き込み保存する。
【００１２】
図３に、この実施例の動作フローを示す。以下、図３にしたがってこの動作フローを説明する。
まず、利用者が、取得したい画像の印刷されている識別子付きの原稿（印刷物）１枚を手元のデジタル複合機１ａの原稿台にセットし、原稿読み取りユニット５５がその原稿上の画像を読み取る（Ｓ１）。そして、原稿読み取りユニット５５は読み取った画像データに画像処理を施し、画像データ中にある識別子情報を抽出する。例えば識別子が特定の色で書かれているならば、その色のデータ部分を抽出するのである。
続いて、抽出された識別子情報を取得したＣＰＵ５１は公知の文字認識方法によりその識別子情報を認識し、コードデータ化する（Ｓ２）。なお、この識別子情報はネットワーク上の画像情報装置１、３やＰＣ４を特定するための情報であり、インターネットで使用されている公知のＩＰ（インターネットプロトコル）アドレス、機器固有のＭＡＣアドレス、または特定のアプリケーション下で固体を識別できる情報などである。識別子情報中に、さらに画像データを特定する情報を含み、その識別子情報により特定される外部の画像情報装置または情報処理装置から、その画像情報装置または情報処理装置に保存されているその識別子情報で特定される画像データを取得する構成も可能である。
【００１３】
このような識別子情報から、ＣＰＵ２１が読み込まれた画像データのオリジナルが保存されているデジタル複合機１、画像入力装置３、またはサーバーとしてのＰＣ４を特定し（Ｓ３）、特定した相手先に保存されている画像データをネットワーク経由で取得する（Ｓ４）。そして、利用者の指示によりあらかじめＲＡＭ２３またはＮＶＲＡＭ２４に設定した設定内容を参照して、取得した画像データを、印刷するか記憶媒体に保存するかを判定する（Ｓ５）。その結果、記憶媒体に保存するという設定であれば（Ｓ５でＮｏ）、記憶媒体Ｉ／Ｆ３３により画像データを記憶媒体に保存する（Ｓ６）。なお、記憶媒体とは、不揮発メモリカード、フロッピー（登録商標）ディスク、書き込み可能なＣＤ、書き込み可能なＤＶＤなどである。
それに対して、印刷をするという設定であれば（Ｓ５でＹｅｓ）、印刷用紙があるか否かを判定し（Ｓ７）、印刷用紙がなければ（Ｓ７でＮｏ）印刷不可と判断し、画像データを記憶媒体に保存する（Ｓ６）。
一方、印刷用紙があれば（Ｓ７でＹｅｓ）、ＣＰＵ２１は印刷剤となるトナー（これは電子写真方式の場合で、インクジェット方式の場合であればインク）があるか否かを判定し（Ｓ８）、トナーがないと判定されたならば（Ｓ８でＮｏ）印刷不可と判断し、画像データを記憶媒体に保存する（Ｓ６）。
また、トナーがあると判定されたならば（Ｓ８でＹｅｓ）、前記印刷手段が故障または障害の状態か否かを判定し（Ｓ９）、故障または障害状態であれば（Ｓ９でＹｅｓ）印刷不可と判断し、画像データを記憶媒体に保存する（Ｓ６）。
また、故障でも障害状態でもないと判定されたならば（Ｓ９でＮｏ）、ＣＰＵ２１は印刷準備待ち状況を判定し（Ｓ１０）、印刷準備待ち状態であるならば（Ｓ１０でＹｅｓ）、印刷準備終了を待つか記憶媒体に保存するかを指示させるメッセージを表示装置４５に表示させ、利用者の指示が「印刷準備終了を待つ」ことか否かを判定する（Ｓ１１）。そして、待たないという指示であれば（Ｓ１１でＮｏ）、画像データを記憶媒体に保存する（Ｓ６）。また、待つという指示であれば（Ｓ１１でＹｅｓ）、印刷終了を待ち（Ｓ１２）、印刷を行う（Ｓ１３）。
一方、ステップＳ１０において、印刷準備待ち状態でないと判定されたならば（Ｓ１０でＮｏ）、直ちに印刷を行う（Ｓ１３）。
【００１４】
こうして、この実施例によれば、印刷物に書き込まれている識別子情報により特定した画像データの保存先からネットワークを介して取得した画像データを印刷したい場合には印刷できるし、着脱可能な記憶媒体に書き込みたい場合にはそうすることもできる。したがって、例えば参加者数を把握できない会議用に会議資料を準備する場合で、且つ会議室に備えてある装置が着脱可能な記憶媒体を用いた印刷はできるがネットワークを介した印刷ができないような場合、情報処理装置などに保存してある会議資料を確実な部数だけ印刷すると共に着脱可能な記憶媒体にも書き込み、会議室には印刷した会議資料と着脱可能な記憶媒体を持参するというような使い方ができる。
【図面の簡単な説明】
【００１５】
【図１】本発明の一実施形態を示す画像情報装置を含むネットワークシステムのシステム構成図である。
【図２】本発明の一実施形態を示すデジタル複合機要部の構成ブロック図である。
【図３】本発明の一実施例を示すデジタル複合機の動作フロー図である。
【符号の説明】
【００１６】
１  デジタル複合機
２  プリンタ
３  画像入力装置
４  パーソナルコンピュータ
１１  システムコントローラ
１２  操作部
１３  画像入出力部
２１  ＣＰＵ
２５  ネットワークＩ／Ｆコントローラ
３３  記憶媒体Ｉ／Ｆ
４５  表示装置
５１  ＣＰＵ
５５  画像読み取りユニット
【図１】
2005354499.tif 000003
【図２】
2005354499.tif 000004
【図３】
2005354499.tif 000005